(57)【特許請求の範囲】
【請求項１】
上流側壁面と、下流側壁面と、前記上流側壁面と前記下流側壁面とを連結する連結手段と、前記上流側壁面と前記下流側壁面との間に詰められる中詰め材とを備えた、ダブルウォール構造の鋼製砂防ダムにおいて、
前記上流側壁面および前記下流側壁面は、それぞれ間隔をあけて１列に固定された支柱と、隣接する前記支柱間に差し渡される壁面パネルとしての波形鋼板と、前記支柱と前記波形鋼板の端部との間に形成された隙間に差し込まれる、前記波形鋼板を前記支柱に固定する固定ブロックとからなり、前記波形鋼板の波付け方向と直交する方向の端部が前記支柱に固定されることを特徴とする、ダブルウォール構造の鋼製砂防ダム。
【請求項２】
前記支柱は、Ｈ形鋼またはＩ形鋼からなり、前記波形鋼板の前記端部は、前記Ｈ形鋼または前記Ｉ形鋼のフランジ間に挿入されることを特徴とする、請求項１記載の、ダブルウォール構造の鋼製砂防ダム。
【請求項３】
前記固定ブロックは、箱状をなし、前記支柱と前記波形鋼板の端部との間に形成された前記隙間に嵌まり込むように正面形状凸形に形成され、且つ、前記中詰め材が流出しないように前記支柱のウェブと密着する底板を有し、弾性力によって前記隙間に圧入されることを特徴とする、請求項１または２記載の、ダブルウォール構造の鋼製砂防ダム。
【発明の詳細な説明】
【０００１】
【発明の属する技術分野】
この発明は、ダブルウォール構造の鋼製砂防ダム、特に、短期間で容易且つ安価に構築でき、しかも、構築中および構築後においてもダム壁面に変位や変形が生じにくく、さらに、ダム壁面からの中詰め材の流出の恐れがない、ダブルウォール構造の鋼製砂防ダムに関するものである。
【０００２】
【従来の技術】
鋼製砂防ダムとして、ダブルウォール構造の鋼製砂防ダムがある。この砂防ダムは、対向して形成された２枚の鋼製壁面間に、土砂等の中詰め材が中詰めされ、中詰め材を転圧して構築されるものである。
【０００３】
以下に、この従来の、ダブルウォール構造の鋼製砂防ダムの一例を、図面と共に説明する。
【０００４】
図７に示すように、人力で運搬できる程度の長さに切断した鋼矢板をセグメント２２とし、横方向に隣接するセグメント２２同士が相互に縦方向に半ピッチずれた位置関係になるように、鋼矢板の爪と溝とを利用してセグメント２２を相互に連結し、このようにして上流側壁面２１Ａおよび下流側壁面２１Ｂの下部を構築したら、両壁面２１Ａ、２１Ｂをタイロッド２３によって相互に連結し、次いで、両壁面２１Ａ、２１Ｂ間に中詰め材として土砂２４を中詰めし、転圧する。そして、次段の壁面の構築、両壁面の連結、中詰めおよび転圧を、上記下段の場合と同様にして繰り返し行う。このようにして、ダブルウォール構造の鋼製従来砂防ダムが構築される。
【０００５】
【発明が解決しようとする課題】
しかしながら、上述した従来砂防ダムは、以下のような問題点があった。
【０００６】
（１）工期が長い。
セグメント２２を所定長さに切断する必要があると共に、セグメント２２を一枚一枚、相互に連結して構築していくので、ダムの構築に長期間を要する。
【０００７】
（２）ダム壁面２１Ａ、２１Ｂに変位や変形が生じやすい。
セグメント２２同士の連結部は、連結を容易にするために余裕代を有しているので、ダム壁面２１Ａ、２１Ｂに土圧や水圧等の荷重がかかると、セグメント２２に張力や押圧力が作用する。この結果、ダム壁面２１Ａ、２１Ｂに変位や変形が生じやすい。ダム壁面２１Ａ、２１Ｂに変位や変形を防止するために、腹起し材を多用する場合には、工費が嵩む。しかも、この場合、腹起し材は、水平方向部材として利用しているので、特に、縦方向でのダム壁面２１Ａ、２１Ｂの平面性の確保には有効に作用しない。
【０００８】
（３）セグメント２２の縦方向端部間の隙間からの中詰め材が流出する恐れがある。
ダム壁面２１Ａ、２１Ｂは、下段から一段ずつ構築されるが、セグメント２２の縦方向端部は単に接触しているのみであり、且つ、セグメント２２の切断面の曲がりや寸法誤差等によって、セグメント２２の縦方向端部間に隙間が生じている。従って、この隙間から土砂等の中詰め材が流出する恐れがある。中詰め材が流出すると、ダム内部が空洞化するので、ダム本体の機能が失われる。
【０００９】
（４）ダム壁面２１Ａ、２１Ｂが構築できなくなる恐れがある。
上記（２）の問題は、ダム構築後は勿論、ダム構築中にも発生する。ダム構築中にダム壁面の変位や変形が発生すると、変位や変形の度合いによっては、セグメント２２同士が連結できなくなることがある。また、たとえ連結できたとしてもダム壁面２１Ａ、２１Ｂの形状が所定形状に構築できないために、やり直さざるを得ないことがある。なお、この種のダムは、一般的にダム壁面が互いに内側に傾斜しており、垂直ではないので、これが上述の問題を助長している。
【００１０】
従って、この発明の目的は、短期間で容易且つ安価に構築でき、しかも、構築中および構築後においてもダム壁面に変位や変形が生じにくく、さらに、ダム壁面からの中詰め材の流出の恐れがない、ダブルウォール構造の鋼製砂防ダムを提供することにある。
【００１１】
【課題を解決するための手段】
請求項１記載の発明は、上流側壁面と、下流側壁面と、前記上流側壁面と前記下流側壁面とを連結する連結手段と、前記上流側壁面と前記下流側壁面との間に詰められる中詰め材とを備えた、ダブルウォール構造の鋼製砂防ダムにおいて、前記上流側壁面および前記下流側壁面は、それぞれ間隔をあけて１列に固定された支柱と、隣接する前記支柱間に差し渡される壁面パネルとしての波形鋼板と、前記支柱と前記波形鋼板の端部との間に形成された隙間に差し込まれる、前記波形鋼板を前記支柱に固定する固定ブロックとからなり、前記波形鋼板の波付け方向と直交する方向の端部が前記支柱に固定されることに特徴を有するものである。
【００１２】
請求項２記載の発明は、前記支柱は、Ｈ形鋼またはＩ形鋼からなり、前記波形鋼板の前記端部は、前記Ｈ形鋼または前記Ｉ形鋼のフランジ間に挿入されることに特徴を有するものである。
【００１３】
請求項３記載の発明は、前記固定ブロックは、箱状をなし、前記支柱と前記波形鋼板の端部との間に形成された前記隙間に嵌まり込むように正面形状凸形に形成され、且つ、前記中詰め材が流出しないように前記支柱のウェブと密着する底板を有し、弾性力によって前記隙間に圧入されることに特徴を有するものである。
【００１４】
【発明の実施の形態】
次に、この発明のダブルウォール構造の鋼製砂防ダムの一実施態様を、図面を参照しながら説明する。
【００１５】
図１は、この発明のダブルウォール構造の鋼製砂防ダムを示す部分切り欠き概略斜視図、図２は、この発明のダブルウォール構造の鋼製砂防ダムにおける波形鋼板の固定構造を示す分解斜視図、図３は、この発明のダブルウォール構造の鋼製砂防ダムにおけるダム壁面を示す部分断面図、図４は、図３のＡ−Ａ線断面図、図５は、この発明のダブルウォール構造の鋼製砂防ダムにおけるダム壁面を示す部分平面図、図６は、この発明のダブルウォール構造の鋼製砂防ダムにおける固定ブロックを示す斜視図である。
【００１６】
図１から図６において、１Ａは、上流側壁面、１Ｂは下流側壁面であり、それぞれ同一構造であり、互いに内側に傾斜して構築されている。両壁面１Ａ、１Ｂは、それぞれの構築位置に沿って間隔をあけて１列に固定されたＨ形鋼からなる親柱としての支柱２と、隣接する支柱２間に差し渡される壁面パネルとしての波形鋼板３と、支柱２と波形鋼板３の端部との間に形成された隙間（Ｓ）に差し込まれる、波形鋼板３を支柱２に固定する固定ブロック４とからなっている。
【００１７】
両支柱２列は、互いに内側に傾斜している。支柱２は、Ｈ形鋼以外にＩ形鋼であっても良い。波形鋼板３は、その波付け方向と直交する方向の端部が固定ブロック４を介して支柱２にガタツキなく固定されている。
【００１８】
固定ブロック４は、鋼製あるいは樹脂製で、図２および図６に示すように、箱状をなし、支柱２の内側フランジ２Ａの内面に密着する第１側板４Ａと、波形鋼板３の谷面３Ａと密着する第２側板４Ｂと、第１側板４Ａと第２側板４Ｂとを連結する第３側板４Ｃと、底板４Ｄとによって形成されている。
【００１９】
固定ブロック４の正面形状は、支柱２と波形鋼板３の端部との間に形成された隙間（Ｓ）に合致して嵌まり込むように凸形に形成されている。固定ブロック４は、底板４Ｄを有しているので、支柱２のウェブ２Ｃと波形鋼板３の端面とが密着していなくても、後述する中詰め材の流出を防止することができる。
【００２０】
第３側板４Ｃの一部は、固定ブロック４にスプリング機能を持たすために切断され、その切断端部は互いにラップしている。これによって、固定ブロック４を予め広げて形成しておけば、すなわち、第１側板４Ａと第２側板４Ｂおよび第３側板４Ｃの平行部４Ｃ１とを、図６の矢印方向に予め広げて形成しておけば、前記隙間（Ｓ）に固定ブロック４をその弾性力に抗して圧入することによって、波形鋼板３を強固に支柱２の外側フランジ２Ｂの内面に押さえ付けることができる。しかも、第３側板４Ｃの切断端部は、互いにラップしているので、固定ブロック４の圧入後において、第３側板４Ｃの切断部から中詰め材が流出する恐れはない。
【００２１】
５は、上流側壁面１Ａと下流側壁面１Ｂとを連結する連結手段としてのタイロッドである。タイロッド５は、図３および図４に示すように、支柱２の内側フランジ２Ａの外面に固定されたジョイント６を介して支柱２に固定されている。すなわち、ジョイント６は、支柱２の内側フランジ２Ａの外面に間隔をあけて平行に溶接された２枚の固定板７と２枚の固定板７間に挿通されたボルト８とからなり、タイロッド５のＵ字状端部がボルト８に係合している。
【００２２】
９は、上流側壁面１Ａと下流側壁面１Ｂとの間に詰められた土砂等の中詰め材である。
【００２３】
このように構成されている、この発明の、ダブルウォール構造の鋼製砂防ダムの構築方法を説明する。
【００２４】
先ず、上流側壁面１Ａおよび下流側壁面１Ｂのそれぞれの構築位置に沿って間隔をあけてＨ形鋼からなる支柱２を、互いに内側に傾斜させて１列に固定する。この際、支柱２の架設のために腹起し材を使用する場合もある。次に、隣接する支柱２間に波形鋼板３を差し渡す。これは、支柱２の上部からそのフランジ２Ａ、２Ｂ間に波形鋼板３を差し込むことによって行う。
【００２５】
次に、支柱２の下部の隙間（Ｓ）に固定ブロック４を側方から打ち込んで圧入する。これによって、波形鋼板３は、支柱２の外側フランジ２Ｂの内面に押し付けられて、固定される。
【００２６】
次に、上流側壁面１Ａと下流側壁面１Ｂとの間に土砂等の中詰め材９を中詰めし、転圧する。中詰め材９の中詰めは、タイロッド５の取り付け位置の下部までとする。この後、対向する支柱２間をタイロッド５によって連結する。波形鋼板３は、固定ブロック４による固定以外に、転圧された中詰め材９の土圧によっても支柱２の外側フランジ２Ｂの内面に押し付けられて、固定される。
【００２７】
このようにして、下段の構築が終わったら、下段の中詰め材９上に、次段の中詰め材９を、次段のタイロッド５の取り付け位置の下部まで入れ、転圧する。次いで、対向する支柱２の下部間を、次段のタイロッド５によって連結する。
【００２８】
この作業を最上段まで繰り返し行えば、ダブルウォール構造の鋼製砂防ダムが構築される。なお、波形鋼板３の連結は、ボルト等によって行う。
【００２９】
この発明のダブルウォール構造の鋼製砂防ダムによれば、支柱２と波形鋼板３とは、溶接等によって固定する必要がなく、しかも、支柱２を親柱として使用するので、部材数も少なくて済み、さらに、壁面パネルとして波形鋼板３を使用するので、軽量化が図れる。従って、短期間で容易且つ安価に構築できる。
【００３０】
また、支柱２と波形鋼板３との間の隙間（Ｓ）に固定ブロック４を圧入することによって、波形鋼板３は、支柱２にガタツキなく強固に固定されるので、上流側壁面１Ａおよび下流側壁面１Ｂに変位や変形が生じにくい。
【００３１】
さらに、固定ブロック４は、底板４Ｄを有する箱状をなしているので、たとえ支柱２のウェブ２Ｃと波形鋼板３との間に波形鋼板３の差し込みのための間隔があいていても、上流側壁面１Ａおよび下流側壁面１Ｂから中詰め材が流出する恐れはない。
【００３２】
【発明の効果】
以上説明したように、この発明によれば、短期間で容易且つ安価に構築でき、しかも、構築中および構築後においてもダム壁面に変位や変形が生じにくく、さらに、ダム壁面からの中詰め材の流出の恐れがないといった有用な効果がもたらされる。
【図面の簡単な説明】
【図１】この発明のダブルウォール構造の鋼製砂防ダムを示す部分切り欠き概略斜視図である。
【図２】この発明のダブルウォール構造の鋼製砂防ダムにおける波形鋼板の固定構造を示す分解斜視図である。
【図３】この発明のダブルウォール構造の鋼製砂防ダムにおけるダム壁面を示す部分断面図である。
【図４】図３のＡ−Ａ線断面図である。
【図５】この発明のダブルウォール構造の鋼製砂防ダムにおけるダム壁面を示す部分平面図である。
【図６】この発明のダブルウォール構造の鋼製砂防ダムにおける固定ブロックを示す斜視図である。
【図７】従来のダブルウォール構造の鋼製砂防ダムを示す概略斜視図である。
【符号の説明】
１Ａ：上流側壁面
１Ｂ：下流側壁面
２：支柱
２Ａ：内側フランジ
２Ｂ：外側フランジ
２Ｃ：ウェブ
３：波形鋼板
３Ａ：谷面
４：固定ブロック
４Ａ：第１側板
４Ｂ：第２側板
４Ｃ：第３側板
４Ｄ：底板
５：タイロッド
６：ジョイント
７：固定板
８：ボルト
９：中詰め材
２１Ａ：上流側壁面
２１Ｂ：下流側壁面
２２：セグメント
２３：タイロッド
２４：土砂
【図１】
0003903377.tif 000002
【図２】
0003903377.tif 000003
【図３】
0003903377.tif 000004
【図４】
0003903377.tif 000005
【図５】
0003903377.tif 000006
【図６】
0003903377.tif 000007
【図７】
0003903377.tif 000008